(57)【特許請求の範囲】
【請求項１】
有料道路の課金情報を取得する取得手段と、
自車両の車種および走行区間に基づいて規定される料金情報を記憶する記憶手段と、
前記課金情報と前記料金情報とを比較する比較手段と、
前記比較手段の比較結果に基づき前記課金情報に該当する車種を判定する判定手段と、
前記判定手段により判定された車種を前記課金情報とともに表示する表示手段と、
を有する電子装置。
【請求項２】
前記比較手段による前記課金情報と自車両の車種の料金情報とが一致するとき、前記判定手段は、前記課金情報は、被牽引車両を有しない自車両の車種であると判定する、請求項１に記載の電子装置。
【請求項３】
前記比較手段による前記課金情報と自車両の車種の料金情報とが異なるとき、前記判定手段は、前記比較手段に前記課金情報と自車両の１ランク上の車種の料金情報とを比較させ、前記課金情報と１ランク上の車種の料金情報とが一致するとき、前記判定手段は、車軸が１軸の被牽引車両を有する車種であると判定する、請求項１に記載の電子装置。
【請求項４】
前記比較手段による前記課金情報と自車両の１ランク上の車種の料金情報とが異なるとき、前記判定手段は、前記比較手段に前記課金情報と自車両の２ランク上の車種の料金情報とを比較させ、前記課金情報と２ランク上の車種の料金情報とが一致するとき、前記判定手段は、車軸が２軸の被牽引車両を有する車種であると判定する、請求項３に記載の電子装置。
【請求項５】
前記比較手段による課金情報といずれの料金情報とが一致しないとき、前記判定手段は、車種不明と判定する、請求項１ないし４いずれか１つに記載の電子装置。
【請求項６】
電子装置はさらに、自車の走行履歴情報を記憶する記憶手段を含み、前記表示手段は、前記走行履歴情報を表示するとき、前記判定手段により判定された車種を一緒に表示する、請求項１ないし５いずれか１つに記載の電子装置。
【請求項７】
自車両の車種および走行区間基づいて規定される料金情報を記憶する記憶手段および表示手段を有する電子装置が実行する課金表示プログラムであって、
有料道路の課金情報を取得するステップと、
前記課金情報と前記料金情報とを比較するステップと、
前記比較するステップの比較結果に基づき前記課金情報に該当する車種を判定するステップと、
前記判定された車種を前記課金情報とともに表示するステップと、
を有する課金表示プログラム。
【請求項８】
自車両の車種および走行区間基づいて規定される料金情報を記憶する記憶手段および表示手段を有する電子装置における課金表示方法であって、
有料道路の課金情報を取得するステップと、
前記課金情報と前記料金情報とを比較するステップと、
前記比較するステップの比較結果に基づき前記課金情報に該当する車種を判定するステップと、
前記判定された車種を前記課金情報とともに表示するステップと、
を有する課金表示方法。
【発明の詳細な説明】
【技術分野】
【０００１】
本発明は、電子料金収受システム（Electronic Toll Collection System:以下、ＥＴＣと称する）を利用したときの課金情報の表示に関する。
【背景技術】
【０００２】
高速道路や有料道路の料金所の出入りをスムーズにするために、無線通信を利用したＥＴＣが普及している。さらに、高速道路等のサービスエリア（ＳＡ）やパーキングエリア（ＰＡ）にもＥＴＣゲートを併設しそこからの出入りを可能にしたスマートインターチェンジ（以下、スマートＩＣと略す）が普及している。
【０００３】
ＥＴＣ車載器を備えた車両がＥＴＣゲートを通過すると、ＥＴＣゲートに設置されたＥＴＣ路側機からＥＴＣ車載器に対してＥＴＣ課金情報が送信される。ＥＴＣ車載器がナビゲーション機能等を備えた車載装置と接続されている場合は、車載装置のディスプレイにＥＴＣ課金情報が表示され、ユーザーに通行料金を知らせることができる。
【０００４】
車載装置のディスプレイにＥＴＣ課金情報を表示させる以外にも、特許文献１に示すように、通行管理装置より受信した決済に関する情報に基づいて有料道路の利用に関する情報を印刷し、有料道路を利用した直後に利用明細を確認することができる技術が存在する。
【先行技術文献】
【特許文献】
【０００５】
【特許文献１】特開２００３−３０６９７号公報
【発明の概要】
【発明が解決しようとする課題】
【０００６】
高速道路等の有料道路の通行料金体系には、牽引される車両（以下、被牽引車と呼ぶ）の牽引があれば、牽引していないときよりも通行料金が高くなるものがある。被牽引車の有無は、ＥＴＣ料金所で自動的に判別され、被牽引車を考慮した課金がなされる。しかし、このような場合であっても、被牽引車の有無情報は車載装置側に送信されず、請求された課金金額が被牽引車の有無を考慮したものか否かをユーザーに案内することができなかった。
【０００７】
また、被牽引車が有る場合であっても、通行料金は、被牽引車の軸数によって異なる。つまり、被牽引車の軸数が２軸であれば、軸数が１軸である場合よりも通行料金が高くなる。但し、被牽引車の軸数が２軸であってもその軸間（図１３で示す軸間距離Ｌ）が１ｍ未満である場合は１軸扱いとするという料金体系が存在する。このような料金体系の場合、ＥＴＣ料金所では、センサ等により軸数の検知を行うことはできても、軸間を正確に測定することは難しく、軸間が１ｍ未満であっても２軸扱いの料金が徴収されてしまうことがある。この場合、被牽引車に関する情報が車載装置側に送信されないため、ユーザーは１軸の料金か２軸の料金かを知ることができない。後日、請求過多であることに気づき、料金の訂正を請求しようとしても、それを証明することが難しい。それ故、料金所での被牽引車の有無、および被牽引車有の場合はその軸数の通知をすることが望まれる。
【０００８】
本発明は、このような従来の課題を解決するものであり、課金情報に該当する車種を提示可能な電子装置、課金表示プログラムおよび課金表示方法を提供することを目的とする。
【課題を解決するための手段】
【０００９】
本発明に係る電子装置は、有料道路の課金情報を取得する取得手段と、自車両の車種および走行区間に基づいて規定される料金情報を記憶する記憶手段と、前記課金情報と前記料金情報とを比較する比較手段と、前記比較手段の比較結果に基づき前記課金情報に該当する車種を判定する判定手段と、前記判定手段により判定された車種を前記課金情報とともに表示する表示手段とを有する。
【００１０】
好ましくは前記比較手段による前記課金情報と自車両の車種の料金情報とが一致するとき、前記判定手段は、前記課金情報は、被牽引車両を有しない自車両の車種であると判定する。好ましくは前記比較手段による前記課金情報と自車両の車種の料金情報とが異なるとき、前記判定手段は、前記比較手段に前記課金情報と自車両の１ランク上の車種の料金情報とを比較させ、前記課金情報と１ランク上の車種の料金情報とが一致するとき、前記判定手段は、車軸が１軸の被牽引車両を有する車種であると判定する。好ましくは前記比較手段による前記課金情報と自車両の１ランク上の車種の料金情報とが異なるとき、前記判定手段は、前記比較手段に前記課金情報と自車両の２ランク上の車種の料金情報とを比較させ、前記課金情報と２ランク上の車種の料金情報とが一致するとき、前記判定手段は、車軸が２軸の被牽引車両を有する車種であると判定する。好ましくは前記比較手段による課金情報といずれの料金情報とが一致しないとき、前記判定手段は、車種不明と判定する。好ましくは電子装置はさらに、自車の走行履歴情報を記憶する記憶手段を含み、前記表示手段は、前記走行履歴情報を表示するとき、前記判定手段により判定された車種を一緒に表示する。
【００１１】
本発明に係る課金表示プログラムは、自車両の車種および走行区間基づいて規定される料金情報を記憶する記憶手段および表示手段を有する電子装置が実行するものであって、有料道路の課金情報を取得するステップと、前記課金情報と前記料金情報とを比較するステップと、前記比較するステップの比較結果に基づき前記課金情報に該当する車種を判定するステップと、前記判定された車種を前記課金情報とともに表示するステップと、を有する。
【００１２】
本発明に係る課金表示方法は、自車両の車種および走行区間基づいて規定される料金情報を記憶する記憶手段および表示手段を有する電子装置におけるものであって、有料道路の課金情報を取得するステップと、前記課金情報と前記料金情報とを比較するステップと、前記比較するステップの比較結果に基づき前記課金情報に該当する車種を判定するステップと、前記判定された車種を前記課金情報とともに表示するステップとを有する。
【発明の効果】
【００１３】
本発明によれば、課金情報と自車両の料金情報との比較結果に基づき課金情報に該当する車種を判定し、判定された車種を課金情報とともに表示するようにしたので、ユーザーは、料金所を通過する時点で課金情報に該当する車種（例えば、被牽引車の有無、被牽引車がある場合には１軸または２軸の車両）を認識することができる。その結果、誤った課金請求等に対し容易に訂正請求を行うことができる。
【図面の簡単な説明】
【００１４】
【図１】本発明の第１の実施例に係る課金情報表示システムの構成例を示す図である
【図２】本発明の第１の実施例に係る車載装置の構成例を示すブロック図である。
【図３】本発明の第１の実施例に係る通行料金データベースの一例を示す図である。
【図４】通行料金情報の他の取得例を示す図である。
【図５】本発明の第１の実施例に係る課金情報表示プログラムの機能的な構成例を示す図である。
【図６】本発明の第１の実施例に係るＥＴＣ車載器の機能的な構成例を示すブロック図である。
【図７】本発明の第１の実施例に係るＥＴＣ路側機の機能的な構成例を示すブロック図である。
【図８】本発明の第１の実施例に係る課金情報表示システムの動作フローを示す図である。
【図９】本発明の第１の実施例に係る課金情報の表示例であり、図９（Ａ）は、課金情報が１軸の被牽引車両と判定されたときの表示例、図９（Ｂ）は、課金情報が２軸の被牽引車両と判定されたときの表示例である。
【図１０】本発明の第２の実施例に係る課金情報表示プログラムの機能的な構成例を示す図である。
【図１１】本発明の第２の実施例による履歴情報の格納例を示す図である。
【図１２】本発明の第２の実施例による履歴情報の表示部を示す図である。
【図１３】被牽引車両の軸数を説明する図である。図１３（Ａ）は、１軸の被牽引車を示す図であり、図１３（Ｂ）は、２軸の被牽引車を示す図である。
【発明を実施するための形態】
【００１５】
次に、本発明の実施の形態について図面を参照して詳細に説明する。本発明の実施の形態に係る電子装置は、車両等の移動体内に搭載される車載装置であることができる。好ましい態様では、電子装置は、ナビゲーション機能を有するが、それ以外に、種々の機能、例えば、オーディオ・ビデオデータを再生する機能、テレビ・ラジオを受信する機能、データ通信機能などを備えることが可能である。
【００１６】
本発明の好ましい実施形態では、自車がＥＴＣ路側機を通過するときの課金情報の表示に関し、特に、課金情報に該当する車種を自動的に判定し、判定された車種を課金情報とともに表示する。ここでいう車種とは、自車の車種（例えば、軽自動車、普通車、中型車、大型車、特大車）、被牽引車の有無、被牽引車がある場合には被牽引車の車軸数（１軸または２軸）を含む。例えば、図１３（Ａ）に示すように、車両Ｍ１が１つの車軸Ａを有する被牽引車Ｍ２を牽引する場合には１軸であり、図１３（Ｂ）に示すように、車両Ｍ１が２つの車軸Ａ１、Ａ２を有する被牽引車Ｍ２を牽引する場合には、車軸Ａ１、Ａ２の軸間距離Ｌが１メートル未満であれば１軸、１メートル以上であれば２軸となる。
【実施例】
【００１７】
図１は、本発明の第１の実施例に係る課金情報表示システムの構成例を示す図である。課金情報表示システム１は、車両に搭載された車載装置１００、ＥＴＣ車載器２００、ＥＴＣ路側機（ＥＴＣゲート）３００を含んで構成される。ＥＴＣ車載器２００は、車載装置１００に接続されるものであってもよいし、車載装置１００に内蔵されるものであってもよい。ＥＴＣ車載器２００は、ＥＴＣ路側機３００を通過するとき、ＥＴＣ路側機３００との間で双方向通信を行い、有料道路の走行区間に相当する料金決済処理を行う。このとき、ＥＴＣ車載器２００は、ＥＴＣ路側機３００から課金情報を受信し、受信した課金情報が音声や映像による出力される。
【００１８】
図２は、第１の実施例に係る車載装置の構成例を示すブロック図である。第１の実施例に係る車載装置１００は、入力部１１０、位置情報算出部１２０、ナビゲーション部１３０、表示部１４０、音声出力部１５０、記憶部１６０、通信部１７０、外部Ｉ／Ｆ（インターフェイス）部１８０および制御部１９０を含んで構成される。但し、この構成は一例である。
【００１９】
入力部１１０は、入力キーデバイス、音声入力認識装置、タッチパネルなどにより、ユーザーからの指示を受け取り、これを制御部１９０へ提供する。位置情報算出部１２０は、ＧＰＳ衛星から送信されるＧＰＳ信号、車両に搭載されるジャイロセンサや加速センサのセンサ出力に基づき自車の現在地を算出する。ナビゲーション部１３０は、例えば、現在地から目的地までの経路を探索し探索経路の案内をしたり、自車位置周辺の道路地図を表示部１４０に表示させたりする。表示部１４０は、液晶ディスプレイやその他の表示装置を含み、例えば、ナビゲーション部１３０によって生成された道路地図の画像を表示したり、ＥＴＣ路側機３００から受信した課金情報等を表示したり、その他、設定画面やメニュー画面を表示する。
【００２０】
記憶部１６０は、制御部１９０が実行するプログラムやアプリケーションソフトウエア、地図データベース等を記憶することができる。さらに本実施例では、車両の車種と走行区間とから有料道路の通行料金を算出することが可能となる通行料金データベースを含む。
【００２１】
図３は、ある走行区間Ｘの車種と通行料金を示している。車種は、軽自動車、普通車、中型車、大型車、特大車であり、これらの車種が被牽引車を有していない場合の通行料金が示されている。例えば、軽自動車で走行区間Ｘを走行したときの通行料金は、￥３，６１０、普通車であれば、￥４，４７０である。また、被牽引車があるときの通行料金は、次のようになる。軽自動車が１軸の被牽引車を牽引している場合には、通行料金が１クラス上の車種と同額の通行料金である４，４７０円となる。さらに軽自動車が２軸の被牽引車を牽引している場合には、通行料金が２クラス上の車種と同額の通行料金である￥５，３３０となる。同様に、普通車が１軸の被牽引車を牽引している場合には、中型車の通行料金となり、２軸の被牽引車を牽引している場合には、大型車の通行料金となる。なお、通行料金データベースは、図３に示す「１軸牽引料金クラス」および「２軸牽引料金クラス」のデータを備える必要はなく、上記したアルゴリズムに従い１軸または２軸の被牽引車を有するときの通行料金を算出すればよい。また、通行料金データベースは、走行区間Ｘのみならず、あらゆる走行区間についての通行料金を車種毎に備え、ＥＴＣ路側機３００やＥＴＣ車載器２００からの課金情報または入退出情報に基づき特定される走行区間に応じた通行料金を通行料金データベースから得ることができる。
【００２２】
通信部１７０は、外部のネットワークや外部機器等と無線によるデータ通信を行うことを可能にする。通信部１７０は、図４に示すように、ネットワークＮＷを介して、通行料金配信サイト１７２、地図データ配信サイト１７４、道路交通情報配信サイト１７６等の外部サイトにアクセスし、各種情報を取得することができる。通行料金配信サイト１７２が、通行料金データベースの一部または全部を配信する場合には、記憶部１６０は、必ずしも通行料金データベースの全部を記憶する必要はない。
【００２３】
外部Ｉ／Ｆ部１８０は、ＥＴＣ車載器２００との接続を可能にする。ＥＴＣ車載器２００とＥＴＣ路側機３００との間で通信したデータは、外部Ｉ／Ｆ部１８０を介して車載装置１００へ提供され、あるいは車載装置１００のデータがＥＴＣ路側機３００へ提供される。例えば、ＥＴＣ車載器２００がＥＴＣ路側機３００から受信した課金情報が車載装置１００へ提供されたり、あるいはＥＴＣ車載器２００から自車が進入または脱出したＥＴＣ路側機の位置情報が車載装置１００へ提供され得る。さらにＥＴＣ車載器２００に設定された自車の情報（例えば、自車の車種情報、すなわち、軽自動車、普通車、中型車、大型車、または特大車の種別）が車載装置２００へ提供される。
【００２４】
制御部１９０は、マイクロプロセッサやマイクロコントローラを含み、ＲＯＭ／ＲＡＭあるいは記憶部１６０に記憶されたプログラム等を実行することにより各部を制御する。好ましい態様では、自車がＥＴＣ路側機３００を通過したとき、ＥＴＣ車載器２００から受信した課金情報の表示を制御する課金情報表示プログラムを含む。
【００２５】
図５は、本実施例の課金情報表示プログラムの機能的な構成例を示す図である。課金情報表示プログラム４００は、課金情報取得部４１０、設定情報取得部４２０、料金情報取得部４３０、料金情報比較部４４０、車種判定部４５０、課金表示画像生成部４６０を含んで構成される。
【００２６】
課金情報取得部４１０は、自車が料金所の出口であるＥＴＣ路側機３００を通過するとき、ＥＴＣ車載器２００から提供される課金情報を取得する。課金情報は、ＥＴＣを利用する車両が有料道路料金所を通過する際にＥＴＣ路側機３００から送信される走行区間に対する課金情報である。課金情報は、例えば、車両が走行した区間（有料道路に入った地点から降りる地点）および当該走行区間に対する課金を含むことができる。
【００２７】
設定情報取得部４２０は、ＥＴＣ車載器２００において設定された自車両に関する設定情報を取得する。設定情報は、例えば、自車両の車種情報を含む。但し、ＥＴＣ車載器２００から設定情報を一旦取得し、これを記憶部１６０に格納している場合には、記憶部１６０から設定情報を取得することができる。設定情報に含まれる車種情報は、例えば、軽自動車、普通車、中型車、大型車、特大車等の車両の種別である。
【００２８】
料金情報取得部４３０は、車種情報取得部４２０により取得した車種情報および走行区間に基づき、自車が保有する通行料金データベースから該当する料金情報を取得する。走行区間は、課金情報から特定してもよいし、自車がＥＴＣ路側機３００を通過したときにＥＴＣ車載器２００から送信される位置情報から特定してもよい。例えば、自車両の車種が普通車であり、走行区間Ｘを走行した場合、図３に示す通行料金データベースから、「￥４，４７０」の料金情報が取得される。
【００２９】
料金情報比較部４４０は、課金情報取得部４１０により取得した課金情報と料金情報取得部４３０により取得した料金情報とを比較する。具体的には、課金情報の金額と、料金情報の金額とを比較する。料金情報比較部４４０の比較結果は、車種判定部４５０へ提供される。
【００３０】
課金情報と料金情報が一致する比較結果であるとき、車種判定部４５０は、課金情報に該当する車種は、被牽引車両を有しない自車両の車種であると判定する。課金情報と料金情報とが一致しない比較結果であるとき、車種判定部４５０は、料金情報取得部４３０に、自車両の１クラス上の車種の料金情報を取得させる。すなわち、自車両の車種が普通車であるとき、中型車の料金情報が取得され、料金情報比較部４４０は、１クラス上の車種の料金情報と課金情報とを比較する。車種判定部４５０は、１クラス上の車種の料金情報と課金情報とが一致する場合には、課金情報に該当する車種は、１軸の被牽引車両を有する車種であると判定する。１クラス上の車種の料金情報と課金情報とが一致しない場合、車種判定部４５０は、料金情報取得部４３０に、自車両の２クラス上の車種の料金情報を取得させる。すなわち、自車両の車種が普通車であるとき、大型車の料金情報が取得され、料金情報比較部４４０は、２クラス上の車種の料金情報と課金情報とを比較する。車種判定部４５０は、２クラス上の車種の料金情報と課金情報とが一致する場合には、課金情報に該当する車種は、２軸の被牽引車両を有する車種であると判定する。２クラス上の車種の料金情報と課金情報とが一致しない場合、車種判定部４５０は、車種不明と判定する。課金表示画像生成部４６０は、車種判定部４５０の判定結果に基づき、判定された課金と車種情報を含む課金表示画像を生成し、これを表示部１４０に表示させる。
【００３１】
次、図１に示すＥＴＣ車載器について説明する。図６は、ＥＴＣ車載器の機能的な構成例を示すブロック図である。ＥＴＣ車載器２００は、自車両の識別情報、自車両の車種、料金を自動決済するための決済情報などの設定情報を設定する設定部２１０、設定部２１０で設定された設定情報をＥＴＣ路側機３００へ送信する設定情報送信部２２０、有料道路を出るときＥＴＣ路側機３００から課金情報を受信する課金情報受信部２３０、課金情報や設定部２１０で設定された設定情報を車載装置３００へ送信する課金／設定情報送信部２４０を含んで構成される。
【００３２】
図７は、ＥＴＣ路側機の機能的な構成例を示すブロック図である。ＥＴＣ路側機３００は、ＥＴＣ車載器２００から設定情報を受信する設定情報受信部３１０、設定情報に含まれる自車両の車種に基づき走行区間の課金情報を作成する課金情報作成部３２０、作成された課金情報をＥＴＣ車載器２００へ送信する課金情報送信部３３０を含む。課金情報を作成する場合、自車両が有料道路に進入した地点を特定する必要があるが、その地点は、ＥＴＣ車載器２００から受け取ることもできるし、自車両が進入したときのＥＴＣ路側機から自車両がでるときのＥＴＣ路側機へその位置情報を設定情報とともに転送されるようにしてもよい。
【００３３】
次に、本実施例の課金情報表示システムの動作について説明する。図８は、課金情報表示システムの動作フローである。車両が有料道路を出るとき、ＥＴＣ路側機３００とＥＴＣ車載器２００との間でデータ通信が行われ、ＥＴＣ車載器２００からＥＴＣ３００に料金の自動決済に必要な設定情報等が送信され、課金情報作成部３２０によって課金情報が作成され（Ｓ１００）、これがＥＴＣ車載器２００へ送信される。次に、ＥＴＣ車載器２００は、課金情報や必要な設定情報を車載装置１００へ送信する（Ｓ１０２）。
【００３４】
車載装置１００は、課金情報／設定情報を受信すると（Ｓ１０４）、次に、課金情報／設定情報を参照して走行区間および自車両の車種を識別し、自車が保有する通行料金データベースを参照し、走行区間および車種から規定される料金情報を取得する（Ｓ１０６）。次に、取得された料金情報と課金情報とが比較され（Ｓ１０８）、その比較結果が車種判定部４５０へ提供される。車種判定部４５０は、料金情報と課金情報とが一致するとき、課金情報の車種は、被牽引車両がない自車両の車種であると判定する（Ｓ１１０）。一方、料金が一致しない場合には、料金情報取得部４３０は、自車両よりも１ランク上の車種の料金情報を取得し（Ｓ１１２）、料金情報比較部４４０は、１ランク上の車種の料金情報と課金情報とを比較し（Ｓ１１４）、その判定結果が車種判定部４５０へ提供される。車種判定部４５０は、一致する場合には、課金情報の車種は、１軸の被牽引車両を有する車種と判定する（Ｓ１１６）。一方、料金が一致しない場合には、料金情報取得部４３０は、自車両よりも２ランク上の車種の料金情報を取得し（Ｓ１１８）、料金情報比較部４４０は、２ランク上の車種の料金情報と課金情報とを比較し（Ｓ１２０）、その判定結果が車種判定部４５０へ提供される。車種判定部４５０は、一致する場合には、課金情報の車種は、２軸の被牽引車両を有する車種と判定する（Ｓ１２２）。一方、料金が一致しない場合には、車種判定部４５０は、課金情報の車種は、車種不明と判定する（Ｓ１２４）。
【００３５】
車種判定部４５０の判定結果は、課金表示画像生成部４６０へ提供され、課金表示画像生成部４６０は、課金情報とともに判定された車種を含む画像を生成し、これを表示部１４０に表示させる（Ｓ１２６）。これにより、ユーザーは、ＥＴＣ路側機３００を通過するときに、課金情報と当該課金情報に該当する車種を認識することができ、もし、被牽引車両に過剰請求があれば、その訂正を請求することが容易になる。特に、被牽引車両が２軸であるが、その軸間距離が１ｍ未満である場合に、誤って２軸の被牽引車両の料金を徴収されてしまった場合の訂正請求に有用である。すなわち、従来の課題にも記載したように、ＥＴＣ路側機において、被牽引車両の軸間距離を正確に測定できないため、本来１軸の被牽引車両と判定されるべきところを、２軸の被牽引車両と判定され、その分の料金が過剰に請求された場合、ユーザーは、課金情報に該当する車種をその場で確認でき、その場で訂正を申し出ることができる。
【００３６】
図９（Ａ）は、図８のステップＳ１１４で料金が一致し、１軸の被牽引車両を有すると判定されたときの表示例であり、図９（Ｂ）は、Ｓ１２０で料金が一致し、２軸の被牽引車両を有すると判定されたときの表示例である。車種の表示１４２は、自車両の設定された車種１４２Ａと、被牽引車両の情報１４２Ｂを含み、被牽引車両の情報１４２Ｂは、被牽引車両が１軸または２軸の表示が示される。なお、ステップＳ１０８で料金が一致し、被牽引車両なしと判定された場合には、被牽引車両の情報１４２Ｂには、何も表示されないか、被牽引車両なしが表示される。また、ステップＳ１２０で料金が不一致の場合には、車種の表示１４２には、車種不明が表示される。
【００３７】
次に第２の実施例について説明する。第２の実施例では、第１の実施例で作成された課金情報を走行履歴と一緒に記憶部１６０に保存し、後に走行履歴を表示するときに一緒に課金情報を表示させる。
【００３８】
図１０は、第２の実施例に係る課金情報表示プログラムの機能的な構成例を示す図である。第２の実施例に係る課金情報表示プログラム４００Ａは、第１の実施例で示した機能に加え、履歴情報取得部４７０、履歴表示画像生成部４８０を含んで構成される。
【００３９】
ＥＴＣ路側機２００を通過したときの課金情報は、走行履歴とともに記憶部１６０に保存され、履歴情報取得部４７０は、記憶部１６０から履歴情報を取得する。履歴情報には、ＥＴＣゲートの通過日時、走行区間、課金情報、当該課金情報に該当する車種情報が含まれる。履歴情報取得部４７０は、例えば、ユーザーからの履歴情報の表示の要求があったとき、実行される。履歴表示画像生成部４８０は、履歴情報取得部４７０で取得された履歴情報に基づき、課金情報に該当する車種の識別を含む走行履歴の画像を生成し、これを表示部１４０に表示させる。
【００４０】
図１１は、記憶部１６０への履歴情報の記憶例、図１２は、記憶部１６０から読み出された履歴情報の表示例である。図１２に示すように、第２の実施例では、走行履歴を表示するとき、課金情報に該当する車種を併せて表示させることができる。
【００４１】
また、履歴情報は、ＥＴＣ車載器２００に記憶された情報を読み出すことにより表示するようにしてもよい。ＥＴＣ車載器２００には、履歴情報として、ＥＴＣゲートの通過日時、走行区間、課金情報等が記憶される。履歴情報取得部４７０は、ユーザーからの履歴情報の表示の指示を受け取ったとき、ＥＴＣ車載器に記憶された履歴情報を取得し、取得された履歴情報に基づき、第１の実施例のときと同様に課金情報に該当する車種を判定し、その判定結果とともに履歴情報を表示させるようにしてもよい。さらに他の方法として、車載装置は、課金情報に該当する車種を判定したとき、当該車種情報を課金情報と関連付けして記憶部１６０に記憶しておき、ＥＴＣ車載器から履歴情報が読み出されたとき、記憶部１６０から読み出した課金情報に該当する車種情報を、履歴情報に結合して表示させるようにしてもよい。
【００４２】
以上、本発明の好ましい実施の形態について詳述したが、本発明は、特定の実施形態に限定されるものではなく、特許請求の範囲に記載された発明の要旨の範囲において、種々の変形、変更が可能である。
【符号の説明】
【００４３】
１：課金情報表示システム            １００：車載装置
１１０：入力部                          １２０：位置情報算出部
１３０：ナビゲーション部                １４０：表示部
１４２：被牽引車情報                    １５０：音声出力部
１６０：記憶部                          １７０：通信部
１７２：通行料金配信サイト              １７４：地図データ配信サイト
１７６：道路交通情報配信サイト          １８０：外部Ｉ／Ｆ部
１９０：制御部                          ２００：ＥＴＣ車載器
２１０：設定部                          ２２０：設定情報送信部
２３０：課金情報受信部                  ２４０：課金／設定情報送信部
３００：ＥＴＣ路側機                    ３１０：設定情報受信部
３２０：課金情報作成部                  ３３０：課金情報送信部
４００：課金情報表示プログラム          ４１０：課金情報取得部
４２０：設定情報取得部                  ４３０：料金情報取得部
４４０：料金情報比較部                  ４５０：車種判定部
４６０：課金表示画像生成部              ４７０：履歴情報取得部
４８０：履歴表示画像生成部      Ａ、Ａ１、Ａ２：車軸
Ｇ：ＥＴＣゲート                        Ｌ：軸間距離
Ｍ１、Ｍ２：車両                          ＮＷ：ネットワーク
【図１】
0006344770.tif 000002
【図２】
0006344770.tif 000003
【図３】
0006344770.tif 000004
【図４】
0006344770.tif 000005
【図５】
0006344770.tif 000006
【図６】
0006344770.tif 000007
【図７】
0006344770.tif 000008
【図８】
0006344770.tif 000009
【図９】
0006344770.tif 000010
【図１０】
0006344770.tif 000011
【図１１】
0006344770.tif 000012
【図１２】
0006344770.tif 000013
【図１３】
0006344770.tif 000014